(57)【要約】【課題】  レジ袋の削減枚数を報知する。【解決手段】  １取引において商品を収納するレジ袋を使用したか否かを入力するレジ袋入力手段の入力の有無によりレジ袋を使用したか否かを判断する判断手段により、レジ袋を使用していないと判断すると（ＳＴ１０７でＹＥＳ）、商品登録処理の際レジ袋の削減枚数を記憶する記憶手段に記憶されたレジ袋の削減枚数を加算する（ＳＴ１０８）。そして、取引レポートを印字するときに加算したレジ袋の削減枚数を印字する。【選択図】図６
2008065612.tif 000002
【特許請求の範囲】
【請求項１】
販売する商品の商品販売データを１取引毎に処理する商品販売データ処理装置において、
商品を収納するレジ袋を１取引において使用したか否かを入力するレジ袋入力手段の入力の有無によりレジ袋を使用したか否かを判断する判断手段と、
レジ袋の削減枚数を記憶する記憶手段と、
前記判断手段でレジ袋を使用していないと判断すると商品登録処理の際前記記憶手段に記憶されたレジ袋の削減枚数を加算する加算手段と、
この加算手段で加算したレジ袋の削減枚数を報知する報知手段とを具備することを特徴とする商品販売データ処理装置。
【請求項２】
販売する商品の商品販売データを１取引毎に処理する商品販売データ処理装置において、
商品を収納するレジ袋を１取引において使用したか否かを入力するレジ袋入力手段によりレジ袋を使用したか否かを判断する判断手段と、
１取引毎に顧客を特定する顧客特定情報を入力する入力手段と、
この入力手段で入力された顧客特定情報毎にレジ袋の削減枚数を記憶する顧客情報記憶手段と、
前記判断手段でレジ袋を使用していないと判断すると商品登録処理の際前記顧客情報記憶手段に記憶されたレジ袋の削減枚数を前記顧客特定情報に基づいて加算する加算手段と、
この加算手段で加算されたレジ袋の削減枚数に基づいて前記削減枚数に応じたレジ袋の金額を算出する算出手段と、
前記入力手段で入力された顧客特定情報に応じて前記加算手段で加算されたレジ袋の削減枚数及び前記算出手段で算出された前記削減枚数に応じたレジ袋の金額を示すデータをレシートへ印字するために編集する編集手段とを具備することを特徴とする商品販売データ処理装置。
【発明の詳細な説明】
【技術分野】
【０００１】
本発明は、一般小売店で使用される商品販売データ処理装置に関する。
【背景技術】
【０００２】
コンビニエンスストア等の小売店においては、商品を販売する場合は、電子式キャッシュレジスタ等の商品販売データ処理装置で商品を登録した後、レジ袋に商品を入れて手渡すことが一般的である。この際、レジ袋の使用の有無について商品販売データ処理装置で登録する処理は行なっていない。
【０００３】
また、買い物袋を持参した顧客に対して、買い上げ金額に応じて袋値引サービスを行なうことができる販売登録装置も知られている（例えば、特許文献１参照）。
【特許文献１】特開平８−３０５９６３号公報
【発明の開示】
【発明が解決しようとする課題】
【０００４】
レジ袋についてはゴミの減量化を狙いとして、環境省が２００７年春にもレジ袋の有料化を実施する方針で進められている。レジ袋を有料化することによりレジ袋の使用量を減らし、ゴミの減量化を図ることが狙いとされている。それにもかかわらず、従来の商品販売データ処理装置では小売店側はどれくらいのレジ袋が削減できたかを知ることができない。
【０００５】
また、レジ袋を使用する顧客としても、個人としてどれくらいのレジ袋が削減できたか、さらに個人としてどれくらいのレジ袋の料金が削減できかを知ることができない。
【０００６】
本発明は上記事情に鑑みてなされたものであって、その目的は、レジ袋の削減枚数を報知することができる商品販売データ処理装置を提供することにある。
【課題を解決するための手段】
【０００７】
第１の本発明は、販売する商品の商品販売データを１取引毎に処理する商品販売データ処理装置において、商品を収納するレジ袋を１取引において使用したか否かを入力するレジ袋入力手段の入力の有無によりレジ袋を使用したか否かを判断する判断手段により、レジ袋を使用していないと判断すると商品登録処理の際レジ袋の削減枚数を記憶する記憶手段に記憶されたレジ袋の削減枚数を加算し、この加算したレジ袋の削減枚数を例えば取引レポートを発行する際に印字して報知する報知手段とを具備するものである。
【０００８】
第２の本発明は、販売する商品の商品販売データを１取引毎に処理する商品販売データ処理装置において、商品を収納するレジ袋を１取引において使用したか否かを入力するレジ袋入力手段によりレジ袋を使用したか否かを判断する判断手段により、レジ袋を使用していないと判断すると商品登録処理の際、１取引毎に顧客を特定する顧客特定情報を入力する入力手段で入力された顧客特定情報毎にレジ袋の削減枚数を記憶する顧客情報記憶手段に記憶されたレジ袋の削減枚数を前記顧客特定情報に基づいて加算し、この加算されたレジ袋の削減枚数に基づいて前記削減枚数に応じたレジ袋の金額を算出し、入力された顧客特定情報に応じて加算されたレジ袋の削減枚数及び算出された削減枚数に応じたレジ袋の金額を示すデータをレシートへ印字するために編集するものである。
【発明の効果】
【０００９】
本発明によると、レジ袋の削減枚数を報知することにより小売店としてどれくらいのレジ袋の削減ができたかを知ることができ、また、個人毎にレジ袋の削減枚数を報知することができ、さらに個人としてどれくらいのレジ袋の料金が削減できかを知ることができる商品販売データ処理装置を提供できる。
【発明を実施するための最良の形態】
【００１０】
以下、本発明の一実施の形態について図面を参照して説明する。  
図１は、商品販売データ処理装置である電子式キャッシュレジスタ１の要部構成を示すブロック図である。電子式キャッシュレジスタ１は、制御部本体を構成するＣＰＵ１１に、商品登録処理プログラム等を記憶したＲＯＭ１２、各種のデータを記憶するＲＡＭ１３、現在の日時を計時する時計部１４、Ｉ／Ｏポート１５、キーボードコントローラ１６、ディスプレイコントローラ１７、ディスプレイントローラ１８、プリンタコントローラ１９等をバス接続してなる制御回路を内蔵している。
【００１１】
そして、Ｉ／Ｏポート１５にモードスイッチ２０とドロワ開放装置２１とを接続し、キーボードコントローラ１６にキーボード２２を接続し、ディスプレイコントローラ１７にオペレータ用ディスプレイ２３を接続し、ディスプレイコントローラ１８に客用ディスプレイ２４を接続し、プリンタコントローラ１９にプリンタ２５を接続している。
【００１２】
キーボードコントローラ１６は、キーボード２２から操作されたキーに対応するキー信号を取り込みＣＰＵ１１に知らせる。ディスプレイコントローラ１７は、オペレータに必要なデータをオペレータ用ディスプレイ２３に表示させる。ディスプレイコントローラ１８は、顧客に必要なデータを客用ディスプレイ２４に表示させる。プリンタコントローラ１９は、プリンタ２５によるレシート印字、取引レポート印字等を制御する。
【００１３】
また、キーボード２２には、数値を置数するための０から９の置数キー、商品情報を入力するための「ＰＬＵ」キー、顧客コードを入力するための「顧客コード」キー、レジ袋の使用の有無を入力するためのレジ袋入力手段である「レジ袋」キー、登録した商品情報を小計する「小計」キー、登録を締めるための「預／現計」キー等を配設している。
【００１４】
電子式キャッシュレジスタ１のＲＡＭ１３は、記憶手段である取引テーブル１３ａ、顧客情報記憶手段である顧客テーブル１３ｂの各テーブルを記憶するエリア、レジ袋使用フラグを記憶するレジ袋使用フラグエリア１３ｃ、レジ袋単価を記憶するレジ袋単価エリア１３ｄを有している。なお、キーボード２２で入力できる数値に対応させた商品名称、単価等の商品データを記憶するＰＬＵテーブルも記憶しているが従来よりあるＰＬＵテーブルと同様であるため図示及び詳細な説明を省略する。なお数値を入力した後に「ＰＬＵ」キーを入力することによりＰＬＵテーブルに設定された商品データを読み出せるようになっている。
【００１５】
図２は、取引テーブル１３ａを示す図である。取引テーブル１３ａは、電子式キャッシュレジスタ１で行なった取引の内容を記憶するテーブルである。取引テーブル１３ａは、売計の項目には各取引の内容が記憶され、具体的には点数のエリアには顧客の商品の購入点数が、客数のエリアには商品を購入した顧客の人数が、金額のエリアには商品の合計金額が記憶される。純売上の項目には、各取引から得られる純売上が記憶される。レジ袋削減枚数のエリアには、累積のレジ袋削減枚数が記憶される。
【００１６】
図３は、顧客テーブル１３ｂを示す図である。顧客テーブル１３ｂは、顧客に付与された顧客コード毎に取引内容を記憶するテーブルである。顧客テーブル１３ｂは、顧客コード毎に顧客名称、取引を行なった回数、各取引を合計した金額、レジ袋削減枚数が記憶される。図３に示すように、顧客コード「１」には顧客名称「Ａ」が設定されており、顧客コード「２」には顧客名称「Ｂ」が設定されており、顧客コード「３」には顧客名称「Ｃ」が設定されている。
【００１７】
図４は、レジ袋使用フラグを記憶するレジ袋使用フラグエリア１３ｃを示す図である。この実施の形態では、商品を販売する１取引を行なったときにレジ袋を使用した場合は「１」となり、取引を行なったときにレジ袋を使用しなかった場合は「０」となる。また、商品の登録を行なうときに「レジ袋」キーが入力された場合はレジ袋使用フラグエリア１３ｃの値は「１」となり、商品の登録を行なうときに「レジ袋」キーが入力されなかった場合はレジ袋使用フラグエリア１３ｃの値は「０」となるように設定されている。
【００１８】
図５は、レジ袋単価エリア１３ｄを示す図である。レジ袋単価エリア１３ｄには、レジ袋１枚当たりの単価が記憶される。図５に示すように、レジ袋１枚当たりの単価として例えば１０（円）が記憶される。このレジ袋単価エリア１３ｄには、置数キーでレジ袋の単価が入力された後、「レジ袋」キーが入力されることにより当該１取引におけるレジ袋の単価として記憶される。
【００１９】
次に１取引の商品を登録する商品登録処理について説明する。図６は、ＣＰＵ１１が実行する商品登録処理の要部を示すフローチャートである。
【００２０】
先ず、顧客コードの登録を行い（ＳＴ１０１）、次に商品のＰＬＵ登録を行なう（１０２）。具体的には、置数キーにより１取引を行なう顧客に付与された顧客コードが入力された後「顧客コード」キーが入力され、商品の商品番号が入力された後「ＰＬＵ」キーが入力される。
【００２１】
そして、ＣＰＵ１１は、レジ袋の金額の入力がされ、「レジ袋」キーが入力されたか否かを判断し（ＳＴ１０３）、「レジ袋」キーが入力された場合は（ＳＴ１０３でＹＥＳ）、レジ袋使用フラグエリア１３ｃのフラグをセット（「０」→「１」）する。なお、「レジ袋」キーが入力されなかった場合は（ＳＴ１０３でＮＯ）、レジ袋使用フラグエリア１３ｃのフラグはリセット（「０」）のままである。
【００２２】
そして、ＣＰＵ１１は、登録の締めである「預／現計」キーが入力されると（ＳＴ１０５）、入力された顧客コードと一致する顧客テーブル１３ｂの顧客コードの回数のエリアをインクリメント（＋１）する（ＳＴ１０６）。そして、ＣＰＵ１１はレジ袋使用フラグエリア１３ｃがリセット（「０」）であるかの判断を行なう（ＳＴ１０７，判断手段）。
【００２３】
ＣＰＵ１１は、レジ袋使用フラグエリア１３ｃがリセットであると判断したとき（ＳＴ１０７でＹＥＳ）、つまり当該１取引でレジ袋を使用しなかった場合は、レジ袋を１枚削減できたものとしてカウントする。すなわち、取引テーブル１３ａのレジ袋削減枚数をインクリメント（＋１）し（ＳＴ１０８，記記憶手段に記憶されたレジ袋の削減枚数を加算する加算手段）、入力された顧客コードと一致する顧客テーブル１３ｂの顧客コードのレジ袋削減枚数のエリアをインクリメント（＋１）する（ＳＴ１０９，顧客情報記憶手段に記憶されたレジ袋の削減枚数を顧客特定情報に基づいて加算する加算手段）。
【００２４】
次に、ＣＰＵ１１はレジ袋を使用しなかった場合の節約した節約金額を算出する（ＳＴ１１０，算出手段）。レジ袋の金額は、「レジ袋」キーの前に入力されてレジ袋単価エリア１３ｄに記憶されている。このレジ袋単価エリア１３ｄに記憶されている金額が節約金額として入力された顧客コードと一致する顧客テーブル１３ｂの顧客コードの金額のエリアに加算されて算出される。
【００２５】
続いて、ＣＰＵ１１はレジ袋削減枚数及び節約金額に関するメッセージをレシートに印字するための編集を行い（ＳＴ１１１，編集手段）、レジ袋使用フラグエリア１３ｃをリセット（「１」→「０」）する（ＳＴ１１２）。このようにレジ袋使用フラグエリア１３ｃをリセットした場合、又はステップＳＴ１０７でレジ袋使用フラグエリア１３ｃがリセットでない場合は（ＳＴ１０７でＮＯ）、この商品登録処理を終了する。このように商品登録処理が終了すると、ＣＰＵ１１はプリンタ２５を動作させてレシートを発行する処理、ドロワ開放装置２１のドロワを開放する処理等を行なう。
【００２６】
次にオペレータが商品を顧客に渡す際にレジ袋を使用した場合と、レジ袋を使用しなかった場合とにおける電子式キャッシュレジスタ１の作用について説明する。
【００２７】
先ずオペレータが販売した商品を顧客に渡す際にレジ袋を使用した場合について説明する。オペレータはキーボード２２に配設されたキーを用いて顧客の購入する商品を登録する際に、先ず顧客コードを入力する。例えば、顧客「Ｃ」が商品を購入する場合は、「３」を入力した後「顧客コード」キーを入力する。そして、顧客の購入する商品を入力する。例えば、購入する商品が「パン」、「コーヒー」である場合は、オペレータは「パン」に割り当てられた商品番号「１」を入力した後「ＰＬＵ」キーを入力し、「コーヒー」である場合は「コーヒー」に割り当てられた商品番号「２」を入力した後「ＰＬＵ」キーを入力する。続いて、オペレータはレジ袋の値段を入力する。例えば、レジ袋が１０円である場合には「１０」を入力した後「レジ袋」キーを入力する。そして、「小計」キーを入力した後、「預／現計」キーを入力する。このように商品登録処理が行われると、顧客テーブル１３ｂの回数がインクリメントされるが、「レジ袋」キーが入力されているため取引テーブル１３ａ、顧客テーブル１３ｂのレジ袋削減枚数はインクリメントされない。そして、登録処理が終了すると電子式キャッシュレジスタ１から図７に示すレシート３１が発行される。
【００２８】
図７に示すように、レシート３１には、顧客を示す「Ｃ」、販売した商品及び値段を示す「パン  ￥２００」、「コーヒー  ￥１００」、レジ袋の代金を示す「レジ袋  ￥１０」、「小計  ￥３１０」、「現計  ￥３１０」等が印字されている。しかしながら、レジ袋削減に関するメッセージは印字されない。
【００２９】
次にオペレータが販売した商品を顧客に渡す際にレジ袋を使用しない場合について説明する。オペレータはキーボード２２に配設されたキーを用いて顧客の購入する商品を登録する際に、顧客コードを入力する。例えば、顧客「Ａ」が商品を購入する場合は、「１」を入力した後「顧客コード」キーを入力する。そして、顧客の購入する商品を入力する。例えば、購入する商品が「パン」、「コーヒー」である場合は、オペレータは「パン」に割り当てられた商品番号「１」を入力した後「ＰＬＵ」キーを入力し、「コーヒー」である場合は「コーヒー」に割り当てられた商品番号「２」を入力した後「ＰＬＵ」キーを入力する。続いて、オペレータは「レジ袋」キーを入力せずに、「小計」キーを入力した後、「預／現計」キーを入力する。このように商品登録処理が行なわれると、顧客テーブル１３ｂの回数が加算されるとともに、「レジ袋」キーが入力されていないため取引テーブル１３ａ、顧客テーブル１３ｂのレジ袋削減枚数がインクリメントされる。そして、登録処理が終了すると電子式キャッシュレジスタ１から図８に示すレシート３２が発行される。
【００３０】
図８に示すように、レシート３１には、顧客を示す「Ａ」、販売した商品及び値段を示す「パン  ￥２００」、「コーヒー  ￥１００」、「小計  ￥３００」、「現計  ￥３００」等が図７に示すレシートと同様に印字されているが、レジ袋を使用しなかったため「レジ袋」の料金が印字されていない。また、レジ袋を使用しなかったため、「およそ、レジ袋を削減できました。レジ袋代金としてはおおよそ１０００円節約できました」のように顧客Ａが今までに削減したレジ袋削減枚数及び節約金額に関するメッセージが印字されている。
【００３１】
この実施の形態によると、レジ袋を使用しなかったときに顧客毎に削減したレジ袋の削減枚数をレシートに印字して報知することにより、顧客毎にどれくらいのレジ袋を削減することができたかを知ることができる。また、顧客はレジ袋の削減枚数と対応する節約金額を視認することができる。
【００３２】
また、上述の実施の形態においては、図２に示すように取引テーブル１３ａにおいて売上データ、レジ袋削減枚数を管理している。したがって、オペレータはキーボード２２を操作して取引テーブル１３ａに記憶された売上データ及びレジ袋削減枚数に基づく取引レポートを出力（報知手段）させる操作を行うことができる。
【００３３】
図９は、オペレータにより出力された取引レポート３３を示す図である。取引レポート３３には「売計」、「純売上」、「内税」、「総売上」などのデータとともに、レジ袋削減枚数「１５０」が印字されている。このレジ袋削減枚数「１５０」は今までの取引でレジ袋を削減できた累積枚数を示している。すなわち、オペレータは、キーボード２２を操作して取引レポート３３を印字させて累積したレジ袋削減枚数を視認することにより、店舗としてどれくらいのレジ袋を削減することができたかを知ることができる。
【００３４】
また、レシート３２、取引レポート３３に印字されたレジ袋の削減枚数を顧客、オペレータが視認することにより、顧客、オペレータはゴミの減量化を実感できる。
【００３５】
なお、本発明は、上述した実施の形態そのままに限定されるものではなく、実施段階ではその要旨を逸脱しない範囲で構成要素を変形して具体化できるものである。
【図面の簡単な説明】
【００３６】
【図１】本発明の実施の形態における電子式キャッシュレジスタの要部構成を示すブロック図。
【図２】同実施の形態における取引テーブルを示す図。
【図３】同実施の形態における顧客テーブルを示す図。
【図４】同実施の形態におけるレジ袋使用フラグを説明するための図。
【図５】同実施の形態におけるレジ袋単価エリアを示す図。
【図６】同実施の形態における売上登録処理の要部を示すフローチャート。
【図７】同実施の形態におけるレジ袋が使用された場合のレシートを示す図。
【図８】同実施の形態におけるレジ袋が使用されなかった場合のレシートを示す図。
【図９】同実施の形態における取引レポートを示す図。
【符号の説明】
【００３７】
１…電子式キャッシュレジスタ、１１…ＣＰＵ、１２…ＲＯＭ、１３…ＲＡＭ、１３ａ…取引テーブル、１３ｂ…顧客テーブル、１３ｃ…レジ袋使用フラグエリア、１３ｄ…レジ袋単価エリア、２２…キーボード、２５…プリンタ、３１，３２…レシート、３３…取引レポート
【図１】
2008065612.tif 000003
【図２】
2008065612.tif 000004
【図３】
2008065612.tif 000005
【図４】
2008065612.tif 000006
【図５】
2008065612.tif 000007
【図６】
2008065612.tif 000008
【図７】
2008065612.tif 000009
【図８】
2008065612.tif 000010
【図９】
2008065612.tif 000011